(57)【要約】【課題】  キャンペーンに対して、商品に付したＩＣタグを用いて、店頭で複数口を同時に応募可能とするキャンペーン受付システム等を提供する。【解決手段】  キャンペーン受付装置１０１は、ＩＣタグリーダ２０６を用いて、応募シート１０２上の複数のＩＣタグ１０３に記憶した応募ＩＤ１２２を同時に読み取る応募ＩＤ読取手段１１１と、応募ＩＤとその当落情報からなる応募ＩＤ情報を記憶する応募ＩＤ情報データベース１２０から、読み取った応募ＩＤに該当する当落情報を抽出し、当落情報を表示する応募ＩＤ当落照会手段１１２と、応募ＩＤ情報データベース１２０に、応募者のユーザＩＤ１２５と受付日１２４を書き込むユーザＩＤ書込手段１１３等を備える。【選択図】  図１
2006011774.tif 000002
【特許請求の範囲】
【請求項１】
コンピュータからなり、ＩＣタグを用いたキャンペーン受付システムであって、
応募ＩＤと当落情報を有する複数の応募ＩＤ情報を記憶する応募ＩＤ情報データベースと、
１又は複数のキャンペーン対象となる商品に付したＩＣタグに記憶した応募ＩＤを一括して読み取るＩＣタグ読取手段と、
前記応募ＩＤ情報データベースに基づいて、読み取った応募ＩＤの当落情報を表示する当落照会手段と、
を具備することを特徴とするキャンペーン受付システム。
【請求項２】
入力した応募者のユーザＩＤと応募受付日を、前記応募ＩＤ情報データベースの当該応募ＩＤに応じた応募ＩＤ情報に書き込む書込手段、
を更に具備することを特徴とする請求項１に記載のキャンペーン受付システム。    
【請求項３】
コンピュータを請求項１又は請求項２に記載のキャンペーン受付システムとして機能させるプログラム。
【請求項４】
コンピュータを請求項１又は請求項２に記載のキャンペーン受付システムとして機能させるプログラムを記録した記録媒体。
【発明の詳細な説明】
【技術分野】
【０００１】
本発明は、キャンペーンに対して、商品に付したＩＣタグを用いて応募するキャンペーン受付システムに関する。
【背景技術】
【０００２】
従来、企業が販売する商品、特に飲料商品や食品では、販売促進キャンペーンとして、商品の購入者が応募することにより、景品が当たる等のサービスが行われている。キャンペーンを実施する際は、応募者が買い上げた商品等に付されたシールや紙片を応募用紙や葉書等に貼りつけて郵送等で応募したり、パーソナルコンピュータや携帯電話等から、インターネット等を介して、キャンペーンを実施している所定のサイトにアクセスし、応募ＩＤ等を入力、応募する。キャンペーンの主催者は、これらの応募に対して抽選等を行い、当たりであれば、所定のサービスや景品を、配送等により提供する。（例えば、特許文献１）
【０００３】
【特許文献１】特開平１１−６６１５２号公報
【発明の開示】
【発明が解決しようとする課題】
【０００４】
しかしながら、従来の方法においては、応募者は、郵送等による応募では、応募結果を即時的に確認できない、また、インターネット等を介した応募では、応募結果をリアルタイムで確認できたとしても、景品やサービス等の取得に時間がかかるという問題があった。また、商品を供給する企業側は、キャンペーンを実施することにより、商品の売り上げ拡大と共に、当該商品に対する顧客の特性、ニーズに応じた情報を取得することを望んでいる。
【０００５】
本発明は、以上の点に鑑みてなされたものであり、キャンペーンに対して、商品に付したＩＣタグを用いて、店頭で複数口を同時に応募可能とするキャンペーン受付システム等を提供することを目的とする。
【課題を解決するための手段】
【０００６】
前述した目的を達成するために第１の発明は、パーソナルコンピュータからなり、ＩＣタグを用いたキャンペーン受付システムであって、応募ＩＤと当落情報を有する複数の応募ＩＤ情報を記憶する応募ＩＤ情報データベースと、１又は複数のキャンペーン対象となる商品に付したＩＣタグに記憶した応募ＩＤを一括して読み取るＩＣタグ読取手段と、前記応募ＩＤ情報データベースに基づいて、読み取った応募ＩＤの当落情報を表示する当落照会手段と、を具備することを特徴とするキャンペーン受付システムである。
【０００７】
また、入力した応募者のユーザＩＤと応募受付日を、前記応募ＩＤ情報データベースの当該応募ＩＤに応じた応募ＩＤ情報に書き込む書込手段、を更に具備することが望ましい。
【０００８】
第１の発明では、キャンペーン受付システムを構成するパーソナルコンピュータは、応募ＩＤと当落情報を有する複数の応募ＩＤ情報を記憶する応募ＩＤ情報データベースを有し、１又は複数のキャンペーン対象となる商品に付したＩＣタグに記憶した応募ＩＤを、ＩＣタグリーダにより一括して読み取り、応募ＩＤ情報データベースから、読み取った応募ＩＤに該当する当落情報を抽出し、当落情報を表示する。
【０００９】
「ＩＣタグ」は、キャンペーン対象商品に貼付されており、基材上に形成されたコイル状のアンテナとＩＣチップから構成され、ＩＣチップには、キャンペーン対象商品に対する応募ＩＤが書き込まれている。
「ＩＣタグリーダ」は、ＩＣタグから記憶されている応募ＩＤを読み取る。
【００１０】
第２の発明は、コンピュータを第１の発明のキャンペーン受付システムとして機能させるプログラムである。
第３の発明は、コンピュータを第１の発明のキャンペーン受付システムとして機能させるプログラムを記録した記録媒体である。
【００１１】
上述のプログラムをＣＤ−ＲＯＭ等の記録媒体に保持させて流通させてもよいし、このプログラムを通信回線を介して送受することもできる。
【発明の効果】
【００１２】
本発明は、キャンペーンに対して、商品に付したＩＣタグを用いて、店頭で複数口を同時に応募可能とするキャンペーン受付システム等を提供することができる。
【発明を実施するための最良の形態】
【００１３】
以下に、添付図面を参照しながら、本発明に係るキャンペーン受付システム等の好適な実施形態について詳細に説明する。尚、以下の説明および添付図面において、略同一の機能構成を有する構成要素については、同一の符号を付することにより重複説明を省略することにする。尚、本発明に使用する「ＩＣタグ」は、一般的には基材上に形成されたアンテナパターンと、それに接続したＩＣチップとから構成されている「非接触ＩＣタグ」（一般に、「非接触ＩＣ」、「非接触ＩＣラベル」、「非接触データキャリア」と表現されることもある。）である。
【００１４】
図１は、本発明の本実施の形態に係るキャンペーン受付システム１００の概略構成を示す図である。
【００１５】
図１に示すように、キャンペーン受付システム１００は、パーソナルコンピュータからなるキャンペーン受付装置１０１等により実現される。
キャンペーン受付装置１０１は、応募ＩＤ読取手段１１１、応募ＩＤ当落照会手段１１２、ユーザＩＤ書込手段１１３、応募ＩＤ情報データベース１２０等を備える。
【００１６】
応募ＩＤ読取手段１１１は、応募シート１０２上の１又は複数のＩＣタグ１０３に記憶した応募ＩＤ１２２をＩＣタグリーダ２０６により読み取る。
応募ＩＤ当落照会手段１１２は、応募ＩＤ情報データベース１２０に基づいて、読み取った応募ＩＤ１２２の当落をモニタ画面２１０に表示する。
ユーザＩＤ書込手段１１３は、応募ＩＤ情報データベース１２０に、応募者のユーザＩＤ、受付日等を書き込む。
【００１７】
次に、図２を参照しながら、キャンペーン受付装置１０１の外観構成について説明する。
図２は、キャンペーン受付装置１０１の外観斜視図である。
【００１８】
キャンペーン受付装置１０１の上部の水平部（天面）には、応募受付案内や、操作の状況や、当落情報等を表示するタッチパネル付きモニタ等であるモニタ画面２１０と、ＩＣタグリーダである応募シート１０２上のＩＣタグ１０３に記憶される応募ＩＤを読み取るためのＩＣタグリーダ面２１１が配置されている。
【００１９】
また、外観からは明確に認識できないが、キャンペーン受付装置１０１の筐体内には、キャンペーン受付装置１０１の各構成部分を制御するための制御部を含むパーソナルコンピュータが設置される。
【００２０】
次に、キャンペーン受付装置１０１のハードウェア構成を説明する。図３は、キャンペーン受付装置１０１のハードウェア構成図である。
【００２１】
図３に示すように、キャンペーン受付装置１０１は、制御部２０１、記憶装置２０２（ハードディスク）、メディア入出力部２０３（ＣＤ−ＲＯＭ）、通信制御部２０４（通信制御装置、通信ポート等）、モニタ２０５（タッチパネル付き）、ＩＣタグリーダ２０６等が、バス２０９を介して接続される。
【００２２】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２３】
記憶装置２０２には、各構成部分を駆動制御する制御プログラム３１０、キャンペーン受付プログラム３１１、及び応募ＩＤ情報データベース１２０等が格納されている。
【００２４】
これらの各プログラムコードは、制御部２０１により必要に応じて読み出されてＲＡＭに移され、ＣＰＵに読み出されて各種の手段として実行される。
【００２５】
入出力部２０３（ＣＤ−ＲＯＭドライブ装置、キーボード、マウス等）は、制御部２０１のＲＯＭや記憶装置２０２に記憶されているプログラムや情報をバージョンアップ、機器設定等の設定を行う際に用いられる。
【００２６】
通信制御部２０４は、通信制御装置、通信ポート等であり、ネットワーク１０９を介して、センタコンピュータとキャンペーン受付装置１０１間の通信制御を行う。
【００２７】
モニタ２０５に表示された操作案内に従って、同モニタ２０５に表示されたタッチパネルボタンを選択し触れることにより、応募受付、当落照会までの一連の操作を行うことができる。
【００２８】
ＩＣタグリーダ２０６は、応募ＩＤ読取手段１１１の一部に相当する。ＩＣタグリーダ２０６は、固定のターミナルタイプをバス２０９に接続するか、ネットワーク型のタイプを使用してもよい。ネットワーク型の場合には、ＩＣタグリーダ２０６とパーソナルコンピュータとの間ではＰＨＳ、無線ＬＡＮ等により通信を行う。
【００２９】
次に、記憶装置２０２におけるキャンペーン受付システム関連のファイル配置について説明する。図４は、記憶装置２０２におけるキャンペーン受付システム関連のファイル配置を示す。
図４に示すように、記憶装置２０２内には、応募ＩＤ情報データベース１２０、及び制御プログラム３１０、キャンペーン受付プログラム３１１等が格納されている。
【００３０】
応募ＩＤ情報データベース１２０には、複数の応募ＩＤ情報１２１からなる。応募ＩＤ情報１２１は、応募ＩＤ１２２、当落情報１２３、受付日１２４、ユーザＩＤ１２５等の情報から構成される。応募ＩＤ１２２と当落情報１２３は、予め、主催者側のセンタコンピュータ等で、応募ＩＤ情報データベース１２０に記憶しておく。受付日１２４とユーザＩＤ１２５は、応募者のユーザＩＤと応募受付日であり、応募受付後、応募ＩＤ情報データベース１２０に書き込まれ、キャンペーン対象商品の顧客情報として使用可能とする。
尚、応募ＩＤ情報データベース１２０は、予め、キャンペーンの主催者側のセンタコンピュータから、ネットワーク１０９を介して受信するか、記録媒体を介して、読み込み、記憶装置２０２に記憶する。
【００３１】
制御プログラム３１０は、キャンペーン受付装置１０１の各構成部分を駆動制御するプログラムである。
キャンペーン受付プログラム３１１は、実行可能プログラムであり、応募ＩＤ読取手段１１１、応募ＩＤ当落照会手段１１２、ユーザＩＤ書込手段１１３等の処理に該当するプログラムである。
【００３２】
次に、図５を参照しながら、キャンペーン受付システム１００の処理手順を説明する。図５は、キャンペーン受付システム１００の処理手順を示すフローチャートである。図６は、商品１０５に貼付されたＩＣタグ１０３を示す。
【００３３】
予め、キャンペーンを実施する主催者側は、キャンペーン対象の商品１０５毎に応募ＩＤ１２２を記録したＩＣタグ１０３を、商品１０５に貼り付け、市場に流通させる。また、主催者側のセンタコンピュータは、商品１０５に対応した応募ＩＤ１２２とその当落情報１２３を格納した応募ＩＤ情報データベース１２０を、ネットワーク１０９又は記録媒体を介して、各キャンペーン受付装置１０１に提供する。
【００３４】
図６に示すように、応募者は、例えば、飲料商品や食品であるキャンペーン対象の商品１０５又は商品１０５の包装に貼付されているＩＣタグ１０３を応募シート１０２に貼る（ステップ５０１）。
【００３５】
応募者は、コンビニエンスストア等の店頭に設置されているキャンペーン受付装置１０１のＩＣタグリーダ面２１１に応募シート１０２をかざす（ステップ５０２）。
尚、本実施の形態では、応募シート１０２に貼った複数のＩＣタグ１０３を、同時に読み取るが、応募シート１０２に貼らず、１又は複数のＩＣタグ１０３をそのままＩＣタグリーダ面２１１にかざしてもよい。
【００３６】
キャンペーン受付装置１０１の制御部２０１は、ＩＣタグリーダ２０６を介して、応募シート１０２上の複数のＩＣタグ１０３に記憶したそれぞれの応募ＩＤ１２２を読み取る（ステップ５０３）。
図７は、ＩＣタグ１０３を示す。図７に示すように、ＩＣタグ１０３は、通常は金属層を積層した紙やプラスチック等の基材１３１に、コイル状のアンテナ１３２を形成し、ＩＣチップ１３３を接続することにより形成する。ＩＣチップ１３３は、アンテナ１３２の両端部に接続する。
ＩＣタグリーダ２０６は、ＩＣタグ１０３に対して共振する呼び出し信号を発信し、ＩＣタグ１０３からの応答信号を読み、ＩＣチップ１３３に記録した情報（応募ＩＤ）の読み取りを行う。
【００３７】
制御部２０１は、モニタ画面２１０に受付画面８０１を表示する（ステップ５０４）。図８は、応募受付から当落照会の画面遷移を示す。
図８に示すように、受付画面８０１には、読み取った応募口数８１５が表示される。
【００３８】
制御部２０１は、モニタ画面２１０のタッチパネルボタン押下、又は所定時間経過後、ユーザＩＤ入力画面８０２を表示する（ステップ５０５）。応募者は、ユーザＩＤ入力画面８０２上のテンキー８１０を用いて、予め、登録したユーザＩＤ１２５を入力して、入力ボタン８１１を押下する。
制御部２０１は、入力したユーザＩＤ１２５を受け付け、格納する（ステップ５０６）。
尚、応募者は、予め、例えば、所持する携帯電話やパーソナルコンピュータから、ネットワークを介して、主催者側のサーバのホームページ等へアクセスし、ユーザ登録し、サーバは、ユーザ情報をユーザ情報データベースに登録後、ユーザＩＤ１２５を発行する。ユーザＩＤ登録方法はほかにもいろいろな方法が考えられるが、ここでは、その方法については言及しない。また、本実施の形態では、ユーザＩＤ入力処理を加えているが、キャンペーンに応じて、ユーザＩＤ入力処理を削除してもよい。
【００３９】
制御部２０１は、記憶装置２０２の応募ＩＤ情報データベース１２０から、読み取った当該応募ＩＤ１２２の応募ＩＤ情報１２１を抽出する（ステップ５０７）。
【００４０】
制御部２０１は、当該応募ＩＤ１２２の当落情報１２３に応じた当落を知らせる当落照会画面８０３を表示する（ステップ５０８）。当落照会画面８０３には、抽選回数８１６（例えば、１口目）と、その当落８１７（例えば、「当たり」）を示す。また、「当たり」の場合は、制御部２０１は、店頭での景品やサービスの入手等を促すメッセージ等を表示する。
【００４１】
制御部２０１は、記憶装置２０２内の応募ＩＤ情報データベース１２０の当該応募ＩＤ情報１２１に、入力したユーザＩＤ１２５と受付日１２４を書き込み、応募ＩＤ１２２とユーザＩＤ１２５のひも付けを行う（ステップ５０９）。
キャンペーン実施期間終了後、制御部２０１は、必要に応じて、応募ＩＤ情報データベース１２０を、ネットワーク１０９を介して、主催者側のセンタコンピュータに送信することにより、センタコンピュータは、ユーザ情報データベースと応募ＩＤ情報データベース１２０から、当該商品に対する顧客の特性、ニーズ等の解析することが可能である。
【００４２】
応募口数８１５の抽選を終了するまで（ステップ５１０のＮｏ）、制御部２０１は、ステップ５０７からステップ５１０の応募ＩＤに対する当落判定、当落照会、ユーザＩＤ書込み処理を行う。
応募口数８１５の抽選を終了すると（ステップ５１０のＹｅｓ）、制御部２０１は、終了画面８０４を表示する（ステップ５１１）。
【００４３】
以上説明したように、本発明の実施の形態によれば、店頭に設けられたキャンペーン受付装置１０１は、ＩＣタグリーダ２０６を用いて、応募者が持参した応募シート１０２の複数のＩＣタグ１０３に記憶した応募ＩＤ１２２を同時に読み取り、応募口数分、応募ＩＤとその当落情報からなる応募ＩＤ情報を記憶する応募ＩＤ情報データベース１２０から、読み取った応募ＩＤに該当する当落情報を抽出し、当落情報を表示し、応募ＩＤ情報データベース１２０の当該応募ＩＤ情報１２１に、入力されたユーザＩＤ１２５と、受付日１２４を書き込み、応募ＩＤ１２２とユーザＩＤ１２５をリンクさせる。
【００４４】
これにより、クローズドキャンペーンにおいて、従来のように応募シールを葉書に貼って郵送したり、パーソナルコンピュータ等から応募シールに記載されている応募ＩＤを入力するような手間がかからず、複数の応募口を同時に応募可能とし、応募結果を即時に確認でき、景品やサービス等の入手に時間がかからない。また、商品を供給する企業側は、応募ＩＤにユーザＩＤをリンクさせることで、当該商品に対する顧客の特性を取得可能とする。
【００４５】
尚、図５等に示す処理を行うプログラムはＣＤ−ＲＯＭ等の記録媒体に保持させて流通させてもよいし、このプログラムを通信回線を介して送受することもできる。
【００４６】
以上、添付図面を参照しながら、本発明に係るキャンペーン受付システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４７】
【図１】本発明の本実施の形態に係るキャンペーン受付システム１００の概略構成を示す図
【図２】キャンペーン受付装置１０１の外観斜視図
【図３】キャンペーン受付装置１０１のハードウェア構成図
【図４】記憶装置２０２におけるキャンペーン受付システム関連のファイル配置を示す図
【図５】キャンペーン受付システム１００の処理手順を示すフローチャート
【図６】商品１０５に貼付されたＩＣタグ１０３を示す図
【図７】ＩＣタグ１０３を示す図
【図８】応募受付から当落照会の画面遷移を示す図
【符号の説明】
【００４８】
１００………キャンペーン受付システム
１０１………キャンペーン受付装置
１０２………応募シート
１０３………ＩＣタグ
１０５………商品
１１１………応募ＩＤ読取手段
１１２………応募ＩＤ当落照会手段
１１３………ユーザＩＤ書込手段
１２０………応募ＩＤ情報データベース
１２２………応募ＩＤ
１２３………当落情報
１３１………基材
１３２………アンテナ
１３３………ＩＣチップ
２０１………制御部
２０２………記憶装置
２０６………ＩＣタグリーダ
【図１】
2006011774.tif 000003
【図２】
2006011774.tif 000004
【図３】
2006011774.tif 000005
【図４】
2006011774.tif 000006
【図５】
2006011774.tif 000007
【図６】
2006011774.tif 000008
【図７】
2006011774.tif 000009
【図８】
2006011774.tif 000010